(57)【要約】【課題】外部記憶媒体が接続されたデータ通信装置で利用可能な送信宛先情報を表示部に表示して、ユーザが意図する送信先を選択可能とすることである。【解決手段】他のデータ処理装置より送信された送信媒体の異なる送信宛先情報と所定のユーザ情報を記憶可能なＩＣカード１１５が接続されると、該接続されるＩＣカード１１５とが通信可能かどうかをユーザ情報を読み出してＣＰＵ１０２が認証し、該認証されたＩＣカード１１５のメモリ部に記憶される送信媒体の異なるユーザ固有の送信宛先情報を取得してインタフェース１１４を介して利用可能な送信宛先リストを検索して送信媒体別にタッチパネルキーボード１１２上に表示する構成を特徴とする。【選択図】図１
2005295021.tif 000002
【特許請求の範囲】
【請求項１】
所定のデータを指定される宛先に送信処理可能な通信手段を備えるデータ通信装置であって、
種々の送信媒体に対する送信宛先情報を記憶可能な外部記憶媒体と通信する通信接続手段と、
前記通信接続手段を介して接続された前記外部記憶媒体に記憶されている送信宛先情報のうち、前記通信手段で送信可能な送信媒体に対応する送信宛先情報を識別する識別手段と、
前記識別手段により前記通信手段で送信可能と識別された送信宛先情報を表示部に表示する制御手段と、
を有することを特徴とするデータ通信装置。
【請求項２】
前記通信接続手段を介して接続される外部記憶媒体を利用可能かどうかを当該外部記憶媒体に記憶されているユーザ情報に基づき判定する判定手段を有することを特徴とする請求項１記載のデータ通信装置。
【請求項３】
前記制御手段は、前記識別手段により前記通信手段で送信可能と識別された送信宛先情報をリストとして送信媒体別に前記表示部に表示することを特徴とする請求項１または２記載のデータ通信装置。
【請求項４】
前記制御手段は、他のデータ処理装置で利用可能な送信媒体の異なるユーザ固有の送信宛先情報中から利用可能な送信媒体の異なるユーザ固有の送信宛先情報を検索して前記通信手段を介して利用可能な送信宛先リストを送信媒体別に表示部に表示することを特徴とする請求項２記載のデータ通信装置。
【請求項５】
入力されるデータに基づいて前記外部記憶媒体に登録すべき送信先情報を作成する作成手段と、
前記作成手段により作成される送信先情報を前記外部記憶媒体に対して送信媒体種別とともに登録する登録手段と、
送信宛先情報の送信履歴を書き込む書込手段とを有することを特徴とする請求項１乃至４のいずれかに記載のデータ通信装置。
【請求項６】
所定のデータを指定される宛先に送信処理可能な通信手段を備えるデータ通信装置における通信処理方法であって、
種々の送信媒体に対する送信宛先情報を記憶可能な外部記憶媒体と通信する通信接続ステップと、
前記通信接続ステップで接続された前記外部記憶媒体に記憶されている送信宛先情報のうち、前記通信手段で送信可能な送信媒体に対応する送信宛先情報を識別する識別ステップと、
前記識別ステップにおいて前記通信手段で送信可能と識別された送信宛先情報を表示部に表示する制御ステップと、
を有することを特徴とする通信処理方法。
【請求項７】
前記通信接続ステップで接続される外部記憶媒体を利用可能かどうかを当該外部記憶媒体に記憶されているユーザ情報に基づき判定する判定ステップを有することを特徴とする請求項６記載の通信処理方法。
【請求項８】
前記制御ステップは、前記識別ステップにおいて前記通信手段で送信可能と識別された送信宛先情報をリストとして送信媒体別に前記表示部に表示することを特徴とする請求項６または７記載の通信処理方法。
【請求項９】
前記制御ステップは、他のデータ処理装置で利用可能な送信媒体の異なるユーザ固有の送信宛先情報中から利用可能な送信媒体の異なるユーザ固有の送信宛先情報を検索して前記通信手段を介して利用可能な送信宛先リストを送信媒体別に表示部に表示することを特徴とする請求項７記載の通信処理方法。
【請求項１０】
入力されるデータに基づいて前記外部記憶媒体に登録すべき送信先情報を作成する作成ステップと、
前記作成ステップにより作成される送信先情報を前記外部記憶媒体に対して送信媒体種別とともに登録する登録ステップと、
送信宛先情報の送信履歴を書き込む書込ステップとを有することを特徴とする請求項６乃至９のいずれかに記載の通信処理方法。
【請求項１１】
請求項６乃至１０のいずれかに記載の通信処理方法を実行させるためのプログラムを格納したことを特徴とするコンピュータが読み取り可能な記憶媒体。
【請求項１２】
請求項６乃至１０のいずれかに記載の通信処理方法を実行させることを特徴とするプログラム。
【発明の詳細な説明】
【技術分野】
【０００１】
本発明は、文書データあるいは画像データ等の各種のデータを指定される宛先に送信処理可能なデータ通信装置および通信処理方法およびコンピュータが読み取り可能なプログラムを格納した記憶媒体およびプログラムに関するものである。
【背景技術】
【０００２】
この種のデータ通信装置は、オフィスにおけるネットワーク環境の普及に伴い、ファクシミリのほか、電子メールやＦＴＰを用いたファイル転送等といった様々な媒体でデータの送信を行うことが可能な複合機として実用化される場合もあり得る。
【０００３】
また、このようなデータ通信装置を利用してデータの送信を行う場合は、該データ通信装置とネットワークを介して通信可能なデータ処理装置上のユーザは、所定のＵＩ画面等を表示装置に表示した上で、当該データの宛先（例えばメールアドレス、ＦＡＸ番号等）を指定入力するという煩雑な操作を送信毎に行う必要があった。
【０００４】
この煩雑な操作を解決するために、従来ではアドレスブックというデータベースに予め送信宛先を所定の記憶装置に登録しておき、その中の一つを選択することにより送信先を選択できるようにしている。
【特許文献１】特開２００２−４１２５０号公報
【発明の開示】
【発明が解決しようとする課題】
【０００５】
しかしながら、ネットワークの複数のデータ通信装置を利用可能なユーザは各データ通信装置に対して送信宛先の登録をそれぞれ行う必要があり、このようなデータ通信装置の環境が変更される毎に、同様の操作を行う必要が発生して、当該登録先を管理する管理者の負担がその台数に比例して過度に大きくなってしまう等の課題が指摘されていた。
【０００６】
本発明は、上記の課題を解決するためになされたもので、本発明の目的は、各種のデータ通信装置を備えるシステムの環境の下で、適宜選択したデータ通信装置に外部記憶媒体を接続し、当該外部記憶媒体が接続されたデータ通信装置で利用可能な送信宛先情報を当該データ通信装置の表示部に表示して、ユーザが意図する送信先を選択するという操作を行うだけで、データ通信装置から所定のデータを利用可能な通信手段を介して簡単に送信処理できる利便性に優れた送信処理環境を整備できるデータ通信装置および通信処理方法およびコンピュータが読み取り可能なプログラムを格納した記憶媒体およびプログラムを提供することである。
【課題を解決するための手段】
【０００７】
本発明は、所定のデータを指定される宛先に送信処理可能な通信手段を備えるデータ通信装置であって、種々の送信媒体に対する送信宛先情報を記憶可能な外部記憶媒体と通信する通信接続手段と、前記通信接続手段を介して接続された外部記憶媒体に記憶されている送信宛先情報のうち、前記通信手段で送信可能な送信媒体に対応する送信宛先情報を識別する識別手段と、前記識別手段により前記通信手段で送信可能と識別された送信宛先情報を表示部に表示する制御手段とを有することを特徴とする。
【０００８】
また、本発明は、所定のデータを指定される宛先に送信処理可能な通信手段を備えるデータ通信装置における通信処理方法であって、種々の送信媒体に対する送信宛先情報を記憶可能な外部記憶媒体と通信する通信接続ステップと、前記通信接続ステップで接続された外部記憶媒体に記憶されている送信宛先情報のうち、前記通信手段で送信可能な送信媒体に対応する送信宛先情報を識別する識別ステップと、前記識別ステップにおいて前記通信手段で送信可能と識別された送信宛先情報を表示部に表示する制御ステップとを有することを特徴とする。
【発明の効果】
【０００９】
本発明によれば、各種のデータ通信装置を備えるシステムの環境の下で、適宜選択したデータ通信装置に外部記憶媒体を接続し、当該外部記憶媒体が接続されたデータ通信装置で利用可能な送信宛先情報を当該データ通信装置の表示部に表示できるため、ユーザが意図する送信先を選択するという操作を行うだけで、データ通信装置から所定のデータを利用可能な通信手段を介して簡単に送信処理できる利便性に優れた送信処理を行えるという効果を奏する。
【００１０】
また、データ送信毎に、新規に作成された送信先情報を外部記憶媒体に登録して管理できるため、増加する送信先情報にも容易に対応することができる。
【発明を実施するための最良の形態】
【００１１】
次に本発明を実施するための最良の形態について図面を参照して説明する。
【００１２】
図１は、本発明の一実施形態を示すデータ通信装置の構成を説明するブロック図であり、データ通信装置１−１〜１−４がＬＡＮ２を介して図示しないサーバ装置、ホストコンピュータ、他のデータ通信装置等が所定のプログラムで通信可能に構成されている。
【００１３】
なお、本実施形態では、ほぼ同等のデータ通信装置１−１〜１−４が接続されるシステム例を示すが他のデータ通信装置が接続されてなるシステムでも本発明を適用可能である。また、通信手段としてＩ／Ｆ１１４を備える場合を示すが、もちろん同種の通信手段に限らず、例えばファクシミリ通信を行う電話回線との通信Ｉ／Ｆとしてのモデムを備えるシステムであってもよい。
【００１４】
図１に示す入力制御部１００において、１０２はマイクロプロセッサ形態の中央処理部（ＣＰＵ）であり、例えば、図示しないクロックパルス発生回路、遅延回路、ゲート回路、その他の論理回路などを有する順序回路等のハードウエアから構成される。
【００１５】
１０３は、ＯＳ（オペレーティングシステム）や各種制御ソフト等が内蔵された読み出し専用メモリ（ＲＯＭ）であり、ＣＰＵ１０２が各部に制御信号を供給する際に、制御信号をＣＰＵ１０２に順次知らせるためのマイクロ命令群が記憶されている。
【００１６】
１０４は読み書き可能なランダムアクセスメモリ（ＲＡＭ）であり、各部の動作状況を記憶する領域を有するとともに、入力画像データを格納する記憶領域を有する。１０１は通信制御コントローラであり、インタフェース１１４を介してＬＡＮ２上で転送される画像データの入力の受信、転送、格納等の制御を行う。
【００１７】
１０５は所定の規格を備えるスキャナコントローラであり、スキャナ部１１１の制御を行う。１０６はタッチパネルキーボードコントローラであり、タッチパネルキーボード１１２の制御を行う。
【００１８】
１０７はＩＣカード読取部コントローラであり、ＩＣカード読取部１１３の制御を行う。１０８はハードディスク（ＨＤＤ）であり、画像ファイルなどのデータ、利用可能なユーザ情報などを格納する。
【００１９】
１１０はバスラインであり、ＣＰＵ１０２、ＲＯＭ１０３、ＲＡＭ１０４、および１０１、１０５〜１０８に示す各コントローラを電気的に接続し、メモリアドレスやデータを転送する。
【００２０】
なお、本実施形態において、ＩＣカード読取部１１３に装着されるＩＣカード１１５には下記の情報が格納可能であるものとする。
【００２１】
ＩＣカード１１５を所有するユーザの情報、ユーザの利用する宛先に関する情報が格納可能であり、特に、ＩＣカード１１５を所有するユーザの情報としては、以下の情報ユーザＩＤ、パスワードが格納される。
【００２２】
また、ユーザの利用する宛先に関する情報としては、送信手段(例えば、電子メール、ＦＴＰ、ＦＡＸなど)、宛先の名称、宛先、認証情報(ユーザＩＤ、パスワード)、最終送信日時、送信回数が格納される。
【００２３】
図２は、図１に示したタッチパネルキーボード１１２に表示される宛先選択画面の一例を示す図であり、ユーザが宛先を選択するための画面を表示した例である。
【００２４】
図２に示すように、本実施形態では、種類４０１、名称４０２、宛先４０３から宛先情報が構成され、種類４０１、名称４０２を参照して、カーソルボタン４０４、４０５を操作して、ユーザが意図する宛先を種類４０１、名称４０２に基づき、ユーザが携帯可能なＩＣカード１１５に登録された宛先を容易に選択処理可能に構成されている。
【００２５】
なお、図１に示すデータ通信装置１−１には、ファクシミリ通信に対応すべく回線のインタフェース、例えばモデム等を備えていないため、図２に示したリスト上のＦＡＸに対応する項目は、強制表示しない、あるいは選択可能な項目として他の選択可能な項目と識別可能に表示する等の表示制御をＣＰＵ１０２が実行させて、その違いを視覚化する処理を可能とするのは任意である。
【００２６】
図３は、本発明に係るデータ通信装置における第１のデータ処理手順の一例を示すフローチャートであり、ユーザ固有の宛先情報登録または更新処理手順に対応する。なお、Ｓ１００１〜Ｓ１０１０は各ステップを示す。また、各ステップは、図１に示したＣＰＵ１０２がハードディスク１０８等より制御プログラムをＲＡＭ１０４上にロードして実行することにより実現される。
【００２７】
まず、ステップＳ１００１において、ユーザによりＩＣカード１１５がＩＣカード読取部１１３に挿入されることをＣＰＵ１０２が検出すると、ステップＳ１００２で、ＩＣカード１１５の認証が行われる。
【００２８】
本実施形態における認証は、データ送信装置の持つユーザ情報とＩＣカード１１５の持つユーザ情報の照合をデータ送信装置において行うが、ユーザ情報をデータ送信装置ではなく、ネットワークに接続されたディレクトリサーバなどに持っていてもよく、認証をＩＣカード１１５上で行ってもよい。
【００２９】
そして、ステップＳ１００３で、データ通信装置の備える送信手段のうち認証されたユーザが利用可能なものを検索して、ステップＳ１００４でその送信手段に関連する宛先データのみをＩＣカード１１５から読み出し、ステップＳ１１０２でユーザに宛先を選択させる際、読み出した宛先の一覧をＣＰＵ１０２とタッチパネルキーボードコントローラ１０７とによる表示制御を実行して、タッチパネルキーボード１１２上に表示する(Ｓ１００５)。
【００３０】
なお、一覧の表示は、ユーザの好みに応じて、最終送信日時が新しい順、送信頻度が多い順などで制御することにより、自在に表示順を切り替えられるように構成されている。
【００３１】
次に、ステップＳ１００６で、ＣＰＵ１０２がユーザがタッチパネルキーボード１１２によるデータ送信先を指定する宛先指定操作を検出したら、ステップＳ１００７で、ユーザによるパネル操作で指定された宛先が新規であるか否かを判断して、ユーザが指定した宛先が新規のものであるとＣＰＵ１０２が判断した場合、ステップＳ１００８で、新たに宛先情報を作成して、装着されているＩＣカード１１５の記憶部に保存（新規登録）して、処理を終了する。
【００３２】
一方、ステップＳ１００７で、一覧表示された宛先中より、カーソボタン４０４、４０５等を操作していずれかの宛先が選択されたとＣＰＵ１０２が判断した場合は、ステップＳ１００９で、宛先情報中の最終送信日時、送信回数などの情報を更新して、ステップＳ１０１０で作成・更新された宛先情報をＩＣカード１１５の記憶部に保存して、処理を終了する。
【００３３】
これにより、データ通信装置１−１〜１−４のいずれかを用いて、図１のＩＣカード読取部１１３からＩＣカード１１５に格納された宛先情報をＣＰＵ１０２が読み出して、送信宛先情報の変更や新規登録等を行いながら、ユーザ固有の宛先リストを自在に管理することが可能となる。
【００３４】
図４は、本発明に係るデータ通信装置における第２のデータ処理手順の一例を示すフローチャートであり、ユーザ固有の宛先情報登録または更新処理手順に対応する。なお、Ｓ１１０１〜Ｓ１１０６は各ステップを示す。また、各ステップは、図１に示したＣＰＵ１０２がハードディスク１０８等より制御プログラムをＲＡＭ１０４上にロードして実行することにより実現される。
【００３５】
まず、ステップＳ１１０１で、タッチパネルキーボード１１２でユーザに送信するデータを選択指定させる。次に、ステップＳ１１０２で、宛先の一覧（ＩＣカード１１５からロードされている場合である）をＣＰＵ１０２等の表示制御によりタッチパネルキーボード１１２上に表示し、カーソボタン４０４、４０５等を操作して送信先の宛先を選択指定させる。
【００３６】
そして、タッチパネルキーボード１１２に表示される宛先の一覧にユーザが希望する宛先が存在するかどうかを判断して、存在すると判断した場合は、ステップＳ１１０４で、ユーザはカーソボタン４０４、４０５等を操作して宛先を選択させ、ステップＳ１１０６において、指定されたデータ、送信先を一つの送信ＪＯＢとして、ＲＯＭ１０３に記憶されるデータ送信プログラムを利用して通信制御コントローラ１０１等を介してデータ処理装置、サーバ装置等へ送信を行い、処理を終了する。
【００３７】
一方、ステップＳ１１０３で、タッチパネルキーボード１１２に表示される宛先の一覧にユーザが希望する宛先が存在しないとＣＰＵ１０２が判断した場合は、ステップＳ１００５で、タッチパネルキーボード１１２より操作して新規に入力させ、該新規の宛先の指定入力が完了していることをＣＰＵ１０２が検出したら、ステップＳ１１０６において、指定されたデータ、送信先を一つの送信ＪＯＢとして、ＲＯＭ１０３に記憶されるデータ送信プログラムを利用して通信制御コントローラ１０１等を介してデータ処理装置、サーバ装置等へ送信を行い、処理を終了する。
【００３８】
これにより、データ通信装置１−１〜１−４のいずれかを用いて、図１のＩＣカード読取部１１３からＩＣカード１１５に格納された宛先情報をＣＰＵ１０２が読み出して、送信宛先情報の変更や新規登録等を行いながら、タッチパネルキーボード１１２に表示したユーザ固有の宛先リストから宛先を自在に指定することができる。
【００３９】
また、異なる送信手段を備える複数のデータ通信装置において、ＩＣカードＩ／Ｆを備えることで、いずれのデータ通信装置でも、それぞれに適した宛先一覧を表示するシステムを構築することも可能となる。
【００４０】
以下、図５に示すメモリマップを参照して本発明に係るデータ通信装置で読み取り可能なデータ処理プログラムの構成について説明する。
【００４１】
図５は、本発明に係るデータ通信装置で読み取り可能な各種データ処理プログラムを格納する記憶媒体のメモリマップを説明する図である。
【００４２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００４３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００４４】
本実施形態における図３、図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００４５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００４６】
この場合、記憶媒体から読み出されたプログラムコード自体が本発明の新規な機能を実現することになり、そのプログラムコードを記憶した記憶媒体は本発明を構成することになる。
【００４７】
従って、プログラムの機能を有していれば、オブジェクトコード、インタプリタにより実行されるプログラム、ＯＳに供給するスクリプトデータ等、プログラムの形態を問わない。
【００４８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００４９】
この場合、記憶媒体から読出されたプログラムコード自体が前述した実施形態の機能を実現することになり、そのプログラムコードを記憶した記憶媒体は本発明を構成することになる。
【００５０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５４】
本発明は上記実施形態に限定されるものではなく、本発明の趣旨に基づき種々の変形（各実施形態の有機的な組合せを含む）が可能であり、それらを本発明の範囲から排除するものではない。
【００５５】
本発明の様々な例と実施形態を示して説明したが、当業者であれば、本発明の趣旨と範囲は、本明細書内の特定の説明に限定されるものではない。
【００５６】
なお、本発明は、上記した実施形態に限定されるものではなく、本発明の要旨を逸脱しない範囲内において種々変更を加え得ることは勿論である。
【産業上の利用可能性】
【００５７】
なお、上記実施形態では、ユーザ固有の宛先リストをＩＣカード１１５内のメモリに記憶して管理する場合について説明したが、ＵＳＢメモリ等の可搬性のある不揮発性メモリ媒体であっても、本発明を適用することができる。
【００５８】
また、外部記憶装置の例として、ＩＣカード１１５の例を示したが、例えばＳＤメモリを備えるような電子機器、例えば携帯電話等でも本発明を適用可能である。
【図面の簡単な説明】
【００５９】
【図１】本発明の一実施形態を示すデータ通信装置の構成を説明するブロック図である。
【図２】図１に示したタッチパネルキーボードに表示される宛先選択画面の一例を示す図である。
【図３】本発明に係るデータ通信装置における第１のデータ処理手順の一例を示すフローチャートである。
【図４】本発明に係るデータ通信装置における第２のデータ処理手順の一例を示すフローチャートである。
【図５】本発明に係るデータ通信装置で読み取り可能な各種データ処理プログラムを格納する記憶媒体のメモリマップを説明する図である。
【符号の説明】
【００６０】
１０１    通信制御コントローラ
１０２    ＣＰＵ
１０３    ＯＳ／各種制御ソフト内蔵ＲＯＭ
１０４    ＲＡＭ
１０５    スキャナコントローラ
１０６    タッチパネルキーボードコントローラ
１０７    ＩＣカード読取部コントローラ
１０８    ＨＤＤ
１１０    システムバス
１１１    スキャナ部
１１２    タッチパネルキーボード
１１３    ＩＣカード読取装置
【図１】
2005295021.tif 000003
【図２】
2005295021.tif 000004
【図３】
2005295021.tif 000005
【図４】
2005295021.tif 000006
【図５】
2005295021.tif 000007